(57)【要約】      （修正有）【課題】商品デモンストレーション機能の起動を容易に行うことができ、かつ、使用者が不所望な商品デモンストレーション機能に基づく動作状態に関わることになってしまう事態を確実に回避できるものとする。【解決手段】匣体１１に設けられた間隙１８に展示補助用表示カード２０の一部分２１が外側から差し込まれることにより、展示補助用表示カード２０の一部分２１によってスイッチ手段が作動せしめられ、スイッチ手段の作動に伴って、動作制御部が、画像表示部１３もしくは表示ランプ部１５あるいは画像表示部１３及び表示ランプ部１５の両者に予め設定されたデモンストレーション用表示動作状態をとらせる。【選択図】        図１
2004212691.tif 000002
【特許請求の範囲】
【請求項１】
展示補助用表示カードの一部分が外側から差し込まれる間隙が設けられた匣体と、該匣体に設けられた画像表示部もしくは表示ランプ部あるいは画像表示部及び表示ランプ部と、上記匣体の内部における上記間隙の内側となる位置に配されたスイッチ手段と、上記匣体の内部に配され、情報信号処理を行って聴覚的もしくは視覚的情報出力を生じさせる出力信号を発生する電子回路部と、該電子回路部，上記スイッチ手段及び上記画像表示部もしくは上記表示ランプ部あるいは上記画像表示部及び表示ランプ部に接続された動作制御部とを備え、
上記間隙に上記展示補助用表示カードの一部分が外側から差し込まれるとき、該展示補助用表示カードの一部分によって上記スイッチ手段が作動せしめられ、該スイッチ手段の作動に伴って、上記動作制御部が上記画像表示部もしくは上記表示ランプ部あるいは上記画像表示部及び表示ランプ部の両者に予め設定されたデモンストレーション用表示動作状態をとらせることを特徴とする電子機器。
【請求項２】
匣体に設られた間隙に挿入される一部分を有した展示補助用カードが予め付属するものとされることを特徴とする請求項１記載の電子機器。
【請求項３】
展示補助用カードが、該展示補助用表示カードの一部分を匣体に設られた間隙に挿入することにより画像表示部もしくは表示ランプ部あるいは画像表示部及び表示ランプ部の両者に予め設定されたデモンストレーション用表示動作状態をとらせることができる旨、の説明が記載されたものであることを特徴とする請求項２記載の電子機器。
【請求項４】
動作制御部が、表示ランプ部に、予め設定されたデモンストレーション用表示動作状態として、予め用意された動作プログラムに基づく点滅動作状態をとらせることを特徴とする請求項１記載の電子機器。
【請求項５】
表示ランプ部が、匣体における複数箇所に配されることを特徴とする請求項４記載の電子機器。
【請求項６】
電子回路部が、音声信号処理を行って音声出力信号を発生し、該音声出力信号を、匣体内部もしくは匣体外部に配された音声再生部に供給することを特徴とする請求項１記載の電子機器。
【発明の詳細な説明】
【０００１】
【発明の属する技術分野】
本願の特許請求の範囲に記載された発明は、販売店の店頭等に展示されたもとで商品デモンストレーション用動作を行うことができる機能を具えた電子機器に関する。
【０００２】
【従来の技術】
音声信号に基づく音声再生を行うシステム化された音響機器等の電子機器については、電気製品小売店等の販売店の店頭等に展示されて、消費者による購入を待機する状態におかれる販売方法がとられることが多い。このような販売方法のもとにおかれた電子機器は、売上げを得るため、販売店の店頭等において、消費者にその存在を積極的に知らせ、消費者の注意を喚起するものとされることが必要とされる。特に、音響機器の場合、動作状態のもとで聴覚的情報出力である再生音声を得ることを本来的目的とし、視覚的情報出力を得るものでないので、販売店の店頭等において動作状態におかれても、消費者に対して目立ち難いものとなってしまう。
【０００３】
そこで、販売店の店頭等に展示されたもとで、その存在を主張して消費者に注目させるための商品デモンストレーション用動作を行うことができる機能（以下、商品デモンストレーション機能という。）を具えた電子機器が提案されている（例えば、特許文献１，特許文献２参照。）。こうした商品デモンストレーション機能を具えた電子機器は、その商品デモンストレーション機能に基づく動作中には、それに備えられた表示部を利用しての変化に富んだ視覚的表示動作等の、例えば、音声の再生等とされる本来の動作とは著しく異なった動作を行うものとされる。
【０００４】
【特許文献１】
特許第３２８８１６０号公報（第１〜３頁，図２）
【特許文献２】
特開平９−８１１３２号公報（第２頁，第５〜６頁，図１２〜１４）
【０００５】
【発明が解決しようとする課題】
上述のような従来提案されている商品デモンストレーション機能を具えた電子機器にあっては、その商品デモンストレーション機能の起動に絡む問題がある。
即ち、従来の商品デモンストレーション機能を具えた電子機器の場合、商品デモンストレーション機能の起動は、以下の（イ）の態様及び（ロ）の態様のうちのいずれかをもって行われているのであるが、そこに問題が見られるのである。
【０００６】
（イ）電子機器に備えられた電源コードを電源コンセント（商用交流電源のコンセント）に差し込んだとき、商品デモンストレーション機能が起動する。
【０００７】
（ロ）電子機器に備えられた電源コードを電源コンセント（商用交流電源のコンセント）に差し込んだもとで、予め指定された当該電子機器に特有の操作を行うと、商品デモンストレーション機能が起動する。
【０００８】
上記（イ）の態様をもって商品デモンストレーション機能の起動が行われる場合には、例えば、店頭に当該機器を展示する販売店にとっては、電源コードを電源コンセントに差し込むだけで、展示中の電子機器を、商品デモンストレーション機能が起動してそれに基づく動作状態がとられるものとなすことができ、便利であって好都合であるが、電子機器を購入して使用する者にとっては、そうではない。即ち、電子機器の使用者にとっては、当該電子機器の電源コードを電源コンセントに差し込むと、不所望な商品デモンストレーション機能が起動して、それに基づく動作状態がとられることになってしまうという不都合がもたらされるのであり、そのことが、電子機器に対する商品としての不満につながり、さらには、商品デモンストレーション機能に基づく動作状態を停止させる、あるいは、禁止する操作をしなくてはならないことに、煩わしさを覚える結果となるのである。
【０００９】
また、上記（ロ）の態様をもって商品デモンストレーション機能の起動が行われる場合には、電子機器を購入して使用する者にとっては、敢えて予め指定された当該電子機器に特有の操作を行わない限り、商品デモンストレーション機能に基づく動作状態に関わることがなく、好都合であるが、例えば、店頭に当該機器を展示する販売店にとっては不便である。即ち、販売店にあっては、店頭に展示した電子機器を、商品デモンストレーション機能が起動してそれに基づく動作状態がとられるものとするにあたり、そのための操作が解らないという事態に陥る、あるいは、当該電子機器に特有の予め指定された操作を行うことについての煩わしさを覚えることになってしまう。特に、複数種の電子機器の夫々に商品デモンストレーション機能に基づく動作状態をとらせる際には、例えば、毎日の営業を開始する都度、各電子機器毎に異なった操作を行わなければならず、煩わしさの程度は増大する。
【００１０】
斯かる点に鑑み、本願の特許請求の範囲に記載された発明は、商品デモンストレーション機能を具え、例えば、販売店の店頭に展示されたもとでの商品デモンストレーション機能の起動を、極めて簡単な操作をもって容易に行うことができ、かつ、使用者にとって、それを意図することなく、不所望な商品デモンストレーション機能に基づく動作状態に関わることになってしまう事態が、確実に回避されることになる電子機器を提供する。
【００１１】
【課題を解決するための手段】
本願の特許請求の範囲における請求項１から請求項６までのいずれかに記載された発明に係る電子機器は、展示補助用表示カードの一部分が外側から差し込まれる間隙が設けられた匣体と、その匣体に設けられた画像表示部もしくは表示ランプ部あるいは画像表示部及び表示ランプ部と、匣体の内部における匣体に設けられた間隙の内側となる位置に配されたスイッチ手段と、匣体の内部に配され、情報信号処理を行って聴覚的もしくは視覚的情報出力を生じさせる出力信号を発生する電子回路部と、その電子回路部，スイッチ手段及び画像表示部もしくは表示ランプ部あるいは画像表示部及び表示ランプ部に接続された動作制御部とを備え、匣体に設けられた間隙に展示補助用表示カードの一部分が外側から差し込まれるとき、その展示補助用表示カードの一部分によってスイッチ手段が作動せしめられ、そのスイッチ手段の作動に伴って、動作制御部が画像表示部もしくは表示ランプ部あるいは画像表示部及び表示ランプ部の両者に予め設定されたデモンストレーション用表示動作状態をとらせることを特徴とするものとされる。
【００１２】
このように構成される本願の特許請求の範囲における請求項１から請求項６までのいずれかに記載された発明に係る電子機器にあっては、例えば、本願の特許請求の範囲における請求項２に記載された発明に係る電子機器におけるように、予め付属するものとされた展示補助用表示カードの一部分が、匣体に設けられた間隙にその外側から差し込まれると、その間隙に差し込まれた展示補助用表示カードの一部分によって、匣体内に配されたスイッチ手段が作動せしめられる。そして、スイッチ手段の作動に応じて、匣体内に配された動作制御部が、匣体に設けられた画像表示部もしくは表示ランプ部あるいは画像表示部及び表示ランプ部の両者に、予め設定されたデモンストレーション用表示動作状態をとらせる。従って、本願の特許請求の範囲における請求項１から請求項６までのいずれかに記載された発明に係る電子機器は、商品デモンストレーション機能を備えていることになる。
【００１３】
そして、本願の特許請求の範囲における請求項１から請求項６までのいずれかに記載された発明に係る電子機器におけるデモンストレーション用表示動作状態は、例えば、本願の特許請求の範囲における請求項４に記載された発明に係る電子機器におけるように、表示ランプ部がとる予め用意された動作プログラムに基づく点滅動作状態とされる。
【００１４】
このように、本願の特許請求の範囲における請求項１から請求項６までのいずれかに記載された発明に係る電子機器によれば、例えば、予め付属するものとされた展示補助用表示カードの一部分を、匣体に設けられた間隙にその外側から差し込むだけで、従って、極めて簡単な操作をもって、極めて容易に商品デモンストレーション機能を起動させて、電子機器をデモンストレーション用表示動作状態となすことができる。また、それとともに、予め付属するものとされた展示補助用表示カードの一部分が匣体に設けられた間隙にその外部から差し込まれないときには、電子機器は、商品デモンストレーション機能が起動してデモンストレーション用表示動作状態をとるものとされることはないので、その使用者にとって、それを意図することなく、不所望な商品デモンストレーション機能に基づくデモンストレーション用表示動作状態に関わることになってしまう事態を、確実に回避できることになる。
【００１５】
【発明の実施の形態】
図１は、本願の特許請求の範囲における請求項１から請求項６までのいずれかに記載された発明に係る電子機器の一例の外観を示す。この例は、ステレオ音声信号に基づく音声再生を行うシステム化された音響機器を構成している。
【００１６】
図１に示される例は、匣体１１を備えている。匣体１１の前面部１２には、文字や記号等の表示を行う画像表示部１３，各種の操作部を形成する操作釦１４，各々が表示ランプ部１５を伴った各種の操作部を形成するランプ付操作釦１５Ａ、及び、一対のカセットテープデッキ部１６Ａ及び１６Ｂが設けられている。カセットテープデッキ部１６Ａ及び１６Ｂの夫々は、詳細構成の図示は省略されているが、匣体１１の外部からテープカセットを着脱することができるカセット装着部を備えている。複数のランプ付操作釦１５Ａは、表示ランプ部１５が匣体１１の前面部１２の外部に臨むものとなる構成がとられていて、例えば、表示ランプ部１５を押し込む操作が行われるものとされている。
【００１７】
また、匣体１１の天板部１７には、極めて細いものとされて天板部１７を貫通する間隙１８が設けられている。この間隙１８には、予めに付随するものとされた展示補助用表示カード２０の一部分２１が、匣体１１の外側から内側へと差し込まれる。
【００１８】
展示補助用表示カード２０は、例えば、紙製とされ、図１に示される例についての型式，特徴，価格等の種々の案内情報が記載されたものとされる。そして、斯かる展示補助用表示カード２０は、例えば、図１に示される例が、電気製品小売店等の販売店の店頭に展示される際に、展示された図１に示される例についての文字や記号等による案内をする、展示補助手段として用いられる。
【００１９】
また、図１に示される例には、匣体１１の左右両側に配された左スピーカ部２２及び右スピーカ部２３が備えられている。左スピーカ部２２は、ステレオ音声信号のうちの左信号に基づく音声を再生し、また、右スピーカ部２３は、ステレオ音声信号のうちの右信号に基づく音声を再生するものとされていて、左スピーカ部２２及び右スピーカ部２３の両者は音声再生部を構成している。
【００２０】
図２は、図１に示される例についての、その匣体１１の内部に配された電子回路部及びそれに接続された動作部を含んだ、全体構成を示す。この図２に示される構成にあっては、例えば、マイクロコンピュータが用いられて形成されたものとされ、匣体１１内に配された制御ユニット２５が備えられている。この制御ユニット２５は、中央演算処理部（セントラルプロセシングユニット：ＣＰＵ）とリードオンリーメモリ（ＲＯＭ）とランダムアクセスメモリ（ＲＡＭ）とを内蔵していて、図２に示される構成における各部の動作を制御する動作制御部を構成している。
【００２１】
そして、制御ユニット２５には、匣体１１の内部における匣体１１に設けられた間隙１８の内側となる位置に配されたスイッチ手段２６が接続されている。また、制御ユニット２５には、オーディオ信号処理部２７が接続されており、オーディオ信号処理部２７には、カセットテープデッキ部１６Ａから得られる音声信号ＳＡ，カセットテープデッキ部１６Ｂから得られる音声信号ＳＢ、及び、外部オーディオ信号入力部２８から得られる外部オーディオ信号ＳＣが、選択的に供給される。外部オーディオ信号入力部２８は、匣体１１の背面部に設けられており、図１には現れていない。音声信号ＳＡ，音声信号ＳＢ及び外部オーディオ信号ＳＣの夫々は、例えば、ステレオ音声信号とされる。
【００２２】
オーディオ信号処理部２７は、カセットテープデッキ部１６Ａからの音声信号ＳＡ，カセットテープデッキ部１６Ｂからの音声信号ＳＢもしくは外部オーディオ信号入力部２８からの外部オーディオ信号ＳＣに、増幅等の所定の処理を施して、左音声出力信号ＳＬ及び右音声出力信号ＳＲを形成し、左音声出力信号ＳＬを左スピーカ部２２に供給するとともに、右音声出力信号ＳＲを右スピーカ部２３に供給する。それにより、左スピーカ部２２からステレオ音声信号のうちの左信号に基づく再生音声が得られ、また、右スピーカ部２３からステレオ音声信号のうちの右信号に基づく再生音声が得られる。
【００２３】
制御ユニット２５とオーディオ信号処理部２７との間では、制御ユニット２５からオーディオ信号処理部２７への各種制御信号ＣＡの供給、及び、オーディオ信号処理部２７から制御ユニット２５への各種検出信号ＤＡの供給がなされ、それにより、オーディオ信号処理部２７が制御ユニット２５による制御のもとで作動する。このようなオーディオ信号処理部２７は、音声信号処理を行って、左スピーカ部２２及び右スピーカ部２３からの再生音声を生じさせる左音声出力信号ＳＬ及び右音声出力信号ＳＲを発生するのであり、従って、匣体１１の内部に配され、情報信号処理を行って聴覚的もしくは視覚的情報出力を生じさせる出力信号を発生する電子回路部を構成している。
【００２４】
制御ユニット２５とカセットテープデッキ部１６Ａ，カセットテープデッキ部１６Ｂ及び外部オーディオ信号入力部２８の夫々との間においても、必要に応じて、制御ユニット２５からカセットテープデッキ部１６Ａ，カセットテープデッキ部１６Ｂ及び外部オーディオ信号入力部２８の夫々への制御信号の供給、及び、カセットテープデッキ部１６Ａ，カセットテープデッキ部１６Ｂ及び外部オーディオ信号入力部２８の夫々から制御ユニット２５への検出信号の供給がなされる。それにより、カセットテープデッキ部１６Ａ，カセットテープデッキ部１６Ｂ及び外部オーディオ信号入力部２８の夫々が、制御ユニット２５による制御のもとで作動する。
【００２５】
制御ユニット２５には、複数の操作釦１４の夫々から、それが操作されることにより得られる操作入力信号ＰＰが供給され、また、複数のランプ付操作釦１５Ａの夫々からも、それが操作されることにより得られる操作入力信号ＰＱが供給される。そして、制御ユニット２５は、操作入力信号ＰＰあるいはＰＱに応じて、カセットテープデッキ部１６Ａ，カセットテープデッキ部１６Ｂ及び外部オーディオ信号入力部２８の夫々への制御信号の供給、さらには、オーディオ信号処理部２７への制御信号ＣＡの供給等の制御動作を行う。
【００２６】
このようなもとで、図１に示される例が、展示補助用表示カード２０の一部分２１が匣体１１の天板部１７に設けられた間隙１８に差し込まれていない状態にあるとき、匣体１１の内部であって間隙１８の内側となる位置に配され、制御ユニット２５に接続されたスイッチ手段２６が、オフ状態（もしくはオン状態）に維持される。
【００２７】
スイッチ手段２６がオフ状態（もしくはオン状態）に維持されたもとにあっては、制御ユニット２５は、複数のランプ付操作釦１５Ａのいずれかからのそれが操作されることにより得られる操作入力信号ＰＱが供給されるとき、操作入力信号ＰＱを供給するランプ付操作釦１５Ａに対応する表示ランプ部１５に、通常動作制御信号ＣＬＮを供給して、その表示ランプ部１５を点灯させる。また、それとともに、制御ユニット２５は、操作釦１４及びランプ付操作釦１５Ａのいずれかからのそれが操作されることにより得られる操作入力信号ＰＰもしくはＰＱが供給されるとき、画像表示部１３に、供給された操作入力信号ＰＰもしくはＰＱに応じた通常表示制御信号ＣＤＮを供給して、操作釦１４及びランプ付操作釦１５Ａのいずれかに対する操作に応じた文字表示等の表示を行わせる。それにより、画像表示部１３及び複数の表示ランプ部１５が、通常表示動作状態をとるものとされる。
【００２８】
それに対して、図１に示される例が、展示補助用表示カード２０の一部分２１が匣体１１の天板部１７に設けられた間隙１８に差し込まれた状態にあるとき、匣体１１の内部であって間隙１８の内側となる位置に配され、制御ユニット２５に接続されたスイッチ手段２６が、例えば、図３に示されるように、間隙１８に差し込まれた展示補助用表示カード２０の一部分２１により押圧されてオン状態（もしくはオフ状態）をとるべく作動せしめられる。
【００２９】
スイッチ手段２６がオン状態（もしくはオフ状態）とされると、制御ユニット２５は、直ちに、画像表示部１３にデモンストレーション用表示制御信号ＣＤＤを供給する状態、もしくは、複数の表示ランプ部１５にデモンストレーション用動作制御信号ＣＬＤを供給する状態、あるいは、画像表示部１３にデモンストレーション用表示制御信号ＣＤＤを供給するとともに、複数の表示ランプ部１５にデモンストレーション用動作制御信号ＣＬＤを供給する状態をとる。それにより、画像表示部１３もしくは複数の表示ランプ部１５あるいは画像表示部１３及び複数の表示ランプ部１５の両者がデモンストレーション用表示動作状態をとるものとされる。
【００３０】
斯かる際において、制御ユニット２５から画像表示部１３に供給されるデモンストレーション用表示制御信号ＣＤＤ及び制御ユニット２５から複数の表示ランプ部１５に供給されるデモンストレーション用動作制御信号ＣＬＤの夫々は、例えば、制御ユニット２５におけるＲＯＭに格納された動作プログラムに従って、予め設定された変化をするものとされる。その結果、画像表示部１３もしくは複数の表示ランプ部１５あるいは画像表示部１３及び複数の表示ランプ部１５の両者がとるデモンストレーション用表示動作状態は、制御ユニット２５におけるＲＯＭに格納された動作プログラムにより予め設定されたものとされ、例えば、複数の表示ランプ部１５がとるデモンストレーション用表示動作状態は、予め用意された動作プログラムに基づく点滅動作状態とされる。
【００３１】
図１に示される例における匣体１１の天板部１７に設けられた間隙１８に差し込まれた展示補助用表示カード２０の一部分２１が間隙１８から抜き取られると、直ちに、スイッチ部２６がオフ状態（もしくはオン状態）を維持するものとされ、それにより、画像表示部１３及び複数の表示ランプ部１５の夫々は、デモンストレーション用表示動作状態を終了して、通常表示動作状態をとるものとされる。
【００３２】
展示補助用表示カード２０は、望ましくは、例えば、図４に示されるように、その一部分２１に、展示補助用表示カード２０の一部分２１を匣体１１に設られた間隙１８に差し込むことにより、画像表示部１３もしくは表示ランプ部１５あるいは画像表示部１３及び表示ランプ部１５の両者に予め設定されたデモンストレーション用表示動作状態をとらせることができる旨、の説明が記載された案内部２１Ａが設けられる。
【００３３】
上述の図１に示される例における各種の動作は、勿論、例えば、図１に示される例に備えられた電源コードが電源コンセント（商用交流電源のコンセント）に差し込まれて、図１に示される例が電源オンの状態におかれたもとで行われる。
【００３４】
このような図１に示される例は、それに備えられた画像表示部１３もしくは複数の表示ランプ部１５あるいは画像表示部１３及び複数の表示ランプ部１５の両者によるデモンストレーション用表示動作状態を行うことができ、従って、商品デモンストレーション機能を備えていることになる。そして、図１に示される例にあっては、予め付属するものとされた展示補助用表示カード２０の一部分２１を匣体１１に設けられた間隙１８にその外側から差し込むだけの、極めて簡単な操作をもって、画像表示部１３もしくは複数の表示ランプ部１５あるいは画像表示部１３及び複数の表示ランプ部１５の両者にデモンストレーション用表示動作状態をとらせることができ、従って、例えば、販売店の店頭に展示されたもとで、極めて容易に商品デモンストレーション機能を起動させることができることになる。
【００３５】
しかも、図１に示される例にあっては、展示補助用表示カード２０の一部分２１が匣体１１に設けられた間隙１８にその外側から差し込まれなければ、画像表示部１３もしくは複数の表示ランプ部１５あるいは画像表示部１３及び複数の表示ランプ部１５の両者がデモンストレーション用表示動作状態をとることはなく、商品デモンストレーション機能が起動されることはない。従って、図１に示される例が使用者の用に供されるにあたり、使用者が、それを意図することなく、不所望な商品デモンストレーション機能に基づくデモンストレーション用表示動作状態に関わることになってしまう虞はない。
【００３６】
上述の例にあっては、匣体１１の内部であって間隙１８の内側となる位置に配されたスイッチ手段２６が、間隙１８に差し込まれた展示補助用表示カード２０の一部分２１により押圧されてオン状態（もしくはオフ状態）をとるべく作動せしめられているが、スイッチ手段２６をオン状態（もしくはオフ状態）とすべく作動させる態様は、斯かる例に限られるものではなく、間隙１８に差し込まれた展示補助用表示カード２０の一部分２１に関連した種々の他の態様がとられてよいこと勿論である。
【００３７】
【発明の効果】
以上の説明から明らかな如く、本願の特許請求の範囲における請求項１から請求項６までのいずれかに記載された発明に係る電子機器によれば、例えば、予め付属するものとされた展示補助用表示カードの一部分を、匣体に設けられた間隙にその外側から差し込むだけで、従って、極めて簡単な操作をもって、極めて容易に商品デモンストレーション機能を起動させて、電子機器をデモンストレーション用表示動作状態となすことができる。しかも、予め付属するものとされた展示補助用表示カードの一部分が匣体に設けられた間隙にその外部から差し込まれないときには、電子機器は、商品デモンストレーション機能が起動してデモンストレーション用表示動作状態をとるものとされることはないので、その使用者にとって、それを意図することなく、不所望な商品デモンストレーション機能に基づくデモンストレーション用表示動作状態に関わることになってしまう事態を、確実に回避できることになる。
【図面の簡単な説明】
【図１】本願の特許請求の範囲における請求項１から請求項６までのいずれかに記載された発明に係る電子機器の一例の外観を示す斜視図である。
【図２】図１に示される例についての匣体の内部に配された電子回路部及びそれに接続された動作部を含んだ全体構成を示すブロック構成図である。
【図３】図１に示される例における展示補助用表示カードとスイッチ手段との関係をあらわす説明図である。
【図４】図１に示される例に付随するものとされる展示補助用表示カードの説明に供される部分平面図である。
【符号の説明】
１１・・・匣体，  １３・・・画像表示部，  １４・・・操作釦，  １５・・・表示ランプ部，  １５Ａ・・・ランプ付操作釦，  １６Ａ，１６Ｂ・・・カセットテープデッキ部，  １８・・・間隙，  ２０・・・展示補助用表示カード，２２・・・左スピーカ部，  ２３・・・右スピーカ部，  ２５・・・制御ユニット，  ２６・・・スイッチ手段，  ２７・・・オーディオ信号処理部，  ２８・・・外部オーディオ信号入力部
【図１】
2004212691.tif 000003
【図２】
2004212691.tif 000004
【図３】
2004212691.tif 000005
【図４】
2004212691.tif 000006